(57)【要約】【課題】映像信号を表示する表示装置において、リモコンによる操作か、本体操作部による操作かを判別し、この判別結果に応じた適切な文字サイズ及び表示位置でオンスクリーン表示を行う。【解決手段】ＴＶ受像機１は、ＴＶ受像機１を遠隔操作するリモコン４と、ＴＶ受像機１の本体に設けられた本体操作部３３と、文字サイズの異なる複数のＯＳＤ信号を生成し、生成したＯＳＤ信号の表示位置を制御するＯＳＤ制御部１００と、リモコン４による操作か、本体操作部３３による操作かを判別する制御部１１０とを備える。ＯＳＤ制御部１００は、制御部１１０の判別結果に応じた文字サイズ及び表示位置でＯＳＤ信号を表示するように制御する。【選択図】図２
2008306509.tif 000002
【特許請求の範囲】
【請求項１】
映像信号を表示する表示装置であって、
前記表示装置を遠隔操作する第１の操作手段と、前記表示装置本体に設けられた第２の操作手段と、文字サイズの異なるＯＳＤ信号を生成し、該生成したＯＳＤ信号の表示位置を制御するＯＳＤ制御手段と、前記第１の操作手段による操作か、前記第２の操作手段による操作かを判別する判別手段とを備え、
前記ＯＳＤ制御手段は、前記判別手段による判別結果に応じた文字サイズ及び表示位置でＯＳＤ信号を表示するように制御することを特徴とする表示装置。
【請求項２】
請求項１に記載の表示装置において、前記ＯＳＤ制御手段は、前記第２の操作手段による操作の場合、ＯＳＤ信号の文字サイズを、前記第１の操作手段による操作の場合の文字サイズよりも小さくすることを特徴とする表示装置。
【請求項３】
請求項１又は２に記載の表示装置において、前記ＯＳＤ制御手段は、前記第２の操作手段による操作の場合、該第２の操作手段の近傍にＯＳＤ信号を表示することを特徴とする表示装置。
【請求項４】
請求項１乃至３のいずれか１項に記載の表示装置において、前記第１の操作手段又は前記第２の操作手段は、ＯＳＤ信号の文字サイズを変化させるための操作キーを備えることを特徴とする表示装置。
【請求項５】
請求項１乃至３のいずれか１項に記載の表示装置において、前記第１の操作手段又は前記第２の操作手段は、ＯＳＤ信号の表示位置を変化させるための操作キーを備えることを特徴とする表示装置。
【請求項６】
請求項１乃至５のいずれか１項に記載の表示装置において、該表示装置の設置状態を設定する設置状態設定手段を備え、
前記ＯＳＤ制御手段は、前記設置状態設定手段により設定された設置状態に基づいて、ＯＳＤ信号の文字サイズ及び表示位置を制御することを特徴とする表示装置。
【請求項７】
請求項１乃至６のいずれか１項に記載の表示装置において、映像信号の表示サイズ及び表示位置を制御する映像制御手段を備え、
前記映像制御手段は、前記判別手段による判別結果に応じた表示サイズ及び表示位置で映像信号を表示するように制御することを特徴とする表示装置。
【請求項８】
請求項７に記載の表示装置において、前記映像制御手段は、前記第２の操作手段による操作の場合、映像信号の表示サイズを、前記第１の操作手段による操作の場合の表示サイズよりも小さくすることを特徴とする表示装置。
【請求項９】
請求項７又は８に記載の表示装置において、前記映像制御手段は、前記第２の操作手段による操作の場合、該第２の操作手段の近傍に映像信号を表示することを特徴とする表示装置。
【請求項１０】
請求項１乃至９のいずれか１項に記載の表示装置において、音声信号の音量を制御する音量制御手段を備え、
前記音量制御手段は、前記判別手段による判別結果に応じた音量で音声信号を出力するように制御することを特徴とする表示装置。
【請求項１１】
請求項１０に記載の表示装置において、前記音量制御手段は、前記第２の操作手段による操作の場合、音声信号の音量を、前記第１の操作手段による操作の場合の音量より小さくすることを特徴とする表示装置。
【請求項１２】
請求項１０に記載の表示装置において、前記音量制御手段は、前記第２の操作手段による操作の場合、音声信号の音量をミュートすることを特徴とする表示装置。
【発明の詳細な説明】
【技術分野】
【０００１】
本発明は、表示装置に関し、より詳細には、リモートコントローラによる操作か、本体操作部による操作かを判別し、この判別結果からＯＳＤ（オンスクリーンディスプレイ）信号の文字サイズ及び表示位置等を制御可能な表示装置に関する。
【背景技術】
【０００２】
従来、テレビジョン受像機（以下、ＴＶ受像機という）においては、リモートコントローラ（以下、リモコン）による操作、本体操作部による操作にかかわらず、同一の機能については同一の文字サイズ及び同一の表示位置でＯＳＤ信号の表示を行っていた。リモコン操作を基本としたオンスクリーン表示においては、画面全体を見ることを前提に表示位置や文字サイズが最適化されているが、例えば、１００インチを超えるような大型テレビにおける本体操作部での操作では、画面全体を見渡しながら操作することは難しい。
【０００３】
すなわち、１００インチ以上の大画面を備えたＴＶ受像機に対して、ユーザが本体操作部のボタン操作を行う場合、画面から約１ｍ以内の距離において操作されることが想定される。この際、ユーザは大画面を斜めから見ることになり非常に見難く、操作に対する応答結果であるオンスクリーン表示の視認性が悪くなり、操作性を損なうおそれがあった。
【０００４】
図１０は、従来の表示装置のハードウェア構成例を示すブロック図で、図中、２００は表示装置を示す。この表示装置２００は、複数の操作キーを備えた本体操作部２０１と、図示しないリモコンからのリモコン信号（操作信号）を受光するリモコン信号受光部２０２と、本体操作部２０１あるいはリモコン信号受光部２０２からの操作信号の入力を受け付け、操作信号に対応するＯＳＤ信号を表示するようにオンスクリーン制御部２０４を制御する制御部２０３と、制御部２０３からの制御に従いＯＳＤ信号の表示制御を行うオンスクリーン制御部２０４と、オンスクリーン制御部２０４で表示制御されたＯＳＤ信号を表示出力する表示部２０５と、を備える。
【０００５】
図１１は、図１０に示した表示装置２００によるオンスリーン表示の例を説明するための図である。図中、２０５ａはオンスクリーン画面を示す。図１１（Ａ）はリモコンＲ（リモコン信号受光部２０２）からの操作信号によるオンスクリーン画面２０５ａを示し、図１１（Ｂ）は本体操作部２０１からの操作信号によるオンスクリーン画面２０５ａを示す。
【０００６】
図１１（Ａ）及び（Ｂ）に示すように、リモコン信号受光部２０２からの操作信号であっても、本体操作部２０１からの操作信号であっても、オンスクリーン画面２０５ａの文字サイズ及び表示位置は同じであり、前述したように、大画面に対して、本体操作部２０１から操作する場合、オンスクリーン画面２０５ａの視認性が悪くなるため、操作性が損なわれてしまう。
【０００７】
ＯＳＤの視認性を改善する技術に関して、例えば、特許文献１には、リモコンとＴＶ受像機間の距離を測定し、この測定距離に基づいてＯＳＤ信号の文字サイズを変化させるようにしたものが記載されている。
また、特許文献２には、ディスプレイサイズ及び視聴距離情報をプリセット入力し、これらディスプレイサイズ及び視聴距離情報に基づいて最適な文字画面サイズ又は文字画面に表示される文字サイズを得るようにしたものが記載されている。
【特許文献１】実開平２−６６０８３号公報
【特許文献２】特開２００５−２９５３３８号公報
【発明の開示】
【発明が解決しようとする課題】
【０００８】
しかしながら、上記特許文献１に記載の技術の場合、リモコンとＴＶ受像機間の距離に応じて文字サイズを変化させているが、ＯＳＤの表示位置は常に一定であり変化しない。このような構成では、大画面ＴＶの本体操作部を操作する場合、やはり画面を斜めから見ることになり、視認性の改善は期待できない。さらに、リモコンとＴＶ受像機間の距離を計測するための距離センサ等を設ける必要があり、回路構成が複雑となり、コスト面でも高価なものとなる。
【０００９】
また、上記特許文献２に記載の技術の場合、ディスプレイまでの視聴距離をユーザが入力する必要があり、視聴距離の計測作業や入力作業など、ユーザに手間を掛けることになる。さらには、特許文献１と同様にＯＳＤの表示位置は常に一定で変化しないため、やはり大画面におけるＯＳＤの視認性の改善は望めない。
【００１０】
上述のごとき大画面ＴＶに対して、ユーザが本体操作部で操作を行う場合、表示サイズを縮小したＯＳＤを本体操作部の近傍に表示させれば、ＯＳＤの視認性を向上させることができるものと考えられる。またこの際、ＯＳＤの表示サイズ及び表示位置だけでなく、表示サイズを縮小した映像信号を本体操作部の近傍に表示させることが出来れば、映像信号そのものの視認性も向上する。例えば、ＯＳＤによる輝度や色合いなどの調整状態を、映像信号を見ながら確認する際に、表示サイズの縮小されたＯＳＤと映像が本体操作部近傍に表示されていれば、ユーザの視認性が向上し、本体操作部における操作性が格段に改善されるが、このような技術思想は特許文献１，２を含む従来技術では開示されていない。
【００１１】
また、図１２は、図１０に示した表示装置２００による音声出力の例を説明するための図である。図１２（Ａ）はユーザが表示装置２００から離れてリモコンＲで操作しているときの音量状態を示し、図１２（Ｂ）はユーザが表示装置２００に近づいて本体操作部２０１を操作しているときの音量状態を示す。
【００１２】
図１２（Ａ）において、ユーザは表示装置２００から離れた位置で視聴しており、このときの音量は視聴位置に応じた適度な音量に調整されている。ところが、図１２（Ｂ）に示すように、ユーザが表示装置２００に近づいて本体操作部２０１を操作しようとすると、音量はそのまま維持されているため、ユーザからすると表示装置２００との距離が近づくに従って音量が大きくなってくる。ユーザは本体操作部２０１の近傍位置で音量が大きく、うるさく感じた場合、リモコンＲあるいは本体操作部２０１の音量キーを操作して音量を下げる必要があり、煩わしい操作を強いられることもある。
【００１３】
本発明は、上述のごとき実情に鑑みてなされたものであり、映像信号を表示する表示装置において、リモコンによる操作か、本体操作部による操作かを判別し、この判別結果に応じて適切な表示サイズ及び表示位置でオンスクリーン表示や映像表示を行うこと、また、リモコンによる操作か、本体操作部による操作かの判別結果に応じて適切な音量で音声出力すること、を目的とする。
【課題を解決するための手段】
【００１４】
上記課題を解決するために、本発明の第１の技術手段は、映像信号を表示する表示装置であって、表示装置を遠隔操作する第１の操作手段と、表示装置本体に設けられた第２の操作手段と、文字サイズの異なるＯＳＤ信号を生成し、生成したＯＳＤ信号の表示位置を制御するＯＳＤ制御手段と、第１の操作手段による操作か、第２の操作手段による操作かを判別する判別手段とを備え、ＯＳＤ制御手段は、判別手段による判別結果に応じた文字サイズ及び表示位置でＯＳＤ信号を表示するように制御することを特徴としたものである。
【００１５】
第２の技術手段は、第１の技術手段において、ＯＳＤ制御手段は、第２の操作手段による操作の場合、ＯＳＤ信号の文字サイズを、第１の操作手段による操作の場合の文字サイズよりも小さくすることを特徴としたものである。
【００１６】
第３の技術手段は、第１又は第２の技術手段において、ＯＳＤ制御手段は、第２の操作手段による操作の場合、第２の操作手段の近傍にＯＳＤ信号を表示することを特徴としたものである。
【００１７】
第４の技術手段は、第１乃至第３のいずれか１の技術手段において、第１の操作手段又は第２の操作手段は、ＯＳＤ信号の文字サイズを変化させるための操作キーを備えることを特徴としたものである。
【００１８】
第５の技術手段は、第１乃至第３のいずれか１の技術手段において、第１の操作手段又は第２の操作手段は、ＯＳＤ信号の表示位置を変化させるための操作キーを備えることを特徴としたものである。
【００１９】
第６の技術手段は、第１乃至第５のいずれか１の技術手段において、表示装置の設置状態を設定する設置状態設定手段を備え、ＯＳＤ制御手段は、設置状態設定手段により設定された設置状態に基づいて、ＯＳＤ信号の文字サイズ及び表示位置を制御することを特徴としたものである。
【００２０】
第７の技術手段は、第１乃至第６のいずれか１の技術手段において、映像信号の表示サイズ及び表示位置を制御する映像制御手段を備え、映像制御手段は、判別手段による判別結果に応じた表示サイズ及び表示位置で映像信号を表示するように制御することを特徴としたものである。
【００２１】
第８の技術手段は、第７の技術手段において、映像制御手段は、第２の操作手段による操作の場合、映像信号の表示サイズを、第１の操作手段による操作の場合の表示サイズよりも小さくすることを特徴としたものである。
【００２２】
第９の技術手段は、第７又は第８の技術手段において、映像制御手段は、第２の操作手段による操作の場合、第２の操作手段の近傍に映像信号を表示することを特徴としたものである。
【００２３】
第１０の技術手段は、第１乃至第９のいずれか１の技術手段において、音声信号の音量を制御する音量制御手段を備え、音量制御手段は、判別手段による判別結果に応じた音量で音声信号を出力するように制御することを特徴としたものである。
【００２４】
第１１の技術手段は、第１０の技術手段において、音量制御手段は、第２の操作手段による操作の場合、音声信号の音量を、第１の操作手段による操作の場合の音量より小さくすることを特徴としたものである。
【００２５】
第１２の技術手段は、第１０の技術手段において、音量制御手段は、第２の操作手段による操作の場合、音声信号の音量をミュートすることを特徴としたものである。
【発明の効果】
【００２６】
本発明によれば、映像信号を表示する表示装置において、リモコンによる操作か、本体操作部による操作かを判別し、この判別結果に応じて適切な表示サイズ及び表示位置でオンスクリーン表示や映像表示を行うことができるため、本体操作部から操作を行う際にＯＳＤや映像の良好な視認性を確保することができる。
また、リモコンによる操作か、本体操作部による操作かの判別結果に応じて適切な音量で音声出力することができるため、本体操作部から操作を行う際に適度な音量の元で操作を行うことができる。
【発明を実施するための最良の形態】
【００２７】
本発明の表示装置は、主たる特徴部分として、リモコンによる操作か、本体操作部による操作かを判別する判別手段と、この判別結果に応じて適切な文字サイズ及び表示位置でＯＳＤ信号を表示するように制御するＯＳＤ制御手段とを備える。このＯＳＤ制御手段は、本体操作部からの操作の際に、ユーザが視認し易い文字サイズ及び表示位置でＯＳＤ信号を表示する。すなわち、ユーザの視野に収まる程度にＯＳＤの文字サイズを縮小し、これを本体操作部近傍の表示位置に表示する。
【００２８】
このような構成とすることで、高価で回路構成が複雑となる距離センサ等の付加部を設けることなく、比較的簡便な構成により、リモコンによる操作時と本体操作部による操作時とでオンスクリーン表示の文字サイズを変化させると共に、オンスクリーン表示の表示位置を適切に変えることができ、操作方法に応じた視認性の良いオンスクリーン表示と、これによる確実な操作性を実現することができる。
【００２９】
以下、添付図面を参照しながら、本発明の表示装置の好適な実施の形態について説明する。なお、図面において同じ機能を有する部分には同じ符号を付し、繰り返しの説明は省略するものとする。
【００３０】
図１は、本発明の一実施形態に係る表示装置の構成例を示すブロック図で、図中、１は表示装置を示す。この表示装置１としては、アナログ放送とデジタル放送とのいずれも受信可能なＴＶ受像機（以下、ＴＶ受像機１という）を例に説明するが、他の表示装置、例えば、ＰＣ等のコンピュータに接続してデータ表示を行うディスプレイや、テレビ放送の他、データ表示等を行い、プレゼンテーションを行うための大型スクリーンなどの表示装置に対しても、同様に適用でき、特に１００インチ以上の大画面ディスプレイに好適である。
【００３１】
ＴＶ受像機１は、アナログ放送を受信する受信アンテナ１１と、デジタル放送を受信する受信アンテナ１２と、アナログ放送の受信信号をチューニング（選局）するアナログチューナ部１３と、デジタル放送の受信信号をチューニングするデジタルチューナ部１４と、アナログ放送の受信データからオーディオデータ／ビデオデータを抽出するＡＶスイッチ部１５と、チューニングされたデジタル放送のデータを復調するデジタル復調部１６とを備える。なお、衛星放送等の他の放送を受信するには、同様にアンテナ、チューナ、及び復調部などをＴＶ受像機１に設ければよい。
【００３２】
また、ＴＶ受像機１は、電子番組ガイドデータの抽出や、復調されたデータの分離を行う分離部１７と、分離されたデジタル放送のビデオデータをデコードしたり、ビデオ情報を静止画としてキャプチャするビデオデコード／キャプチャ部１８と、アナログ放送のビデオ信号とデジタル放送のビデオ信号との切換を行うビデオセレクタ部１９と、分離された電子番組ガイドの処理や、ＯＳＤ（オンスクリーンディスプレイ）の表示処理を行うと共に、電子番組ガイドと予約情報とをミックスさせて表示する処理を行う電子番組ガイド／ＯＳＤ／予約処理部２０とを備える。なお、電子番組ガイドの他にＥＳＧ（電子シンプルガイド）やテレテキストも表示可能としてもよい。
【００３３】
また、ＴＶ受像機１は、分離されたオーディオデータをデコードするオーディオデコード部２１と、セレクトされたビデオ信号と電子番組ガイドやＯＳＤとを合わせてからビデオ出力として変換するビデオ出力変換部２２と、アナログ放送のオーディオ信号とデジタル放送のオーディオ信号の切換を行うオーディオセレクタ部２３と、セレクトされたオーディオ信号を出力信号に変換するオーディオ出力変換部２４と、アナログ放送及びデジタル放送のチューナでの選局処理を行う選局部２７とを備える。
【００３４】
さらに、ＴＶ受像機１は、液晶ディスプレイやプラズマディスプレイなどの表示装置２５を備え、また、音声出力用にスピーカ２６を備える。表示装置２５は、ビデオ出力変換部２２から出力されたビデオ信号（映像信号）を表示する。スピーカ２６は、オーディオ出力変換部２４から出力された出力信号に基づき音声を出力する。
【００３５】
また、ＴＶ受像機１は、ＴＶ受像機１の本体に設けられた本体操作部３３と、ユーザが操作するリモートコントローラ（以下、リモコン）４からの信号を受信するリモコン信号受光部３２と、電話回線，ＬＡＮ，インターネット等のネットワーク網との通信制御を行うと共に、電子番組ガイドデータの取得等に使用される通信制御部３１とを備える。
【００３６】
また、ＴＶ受像機１は、本発明の主たる特徴部分であるＯＳＤ制御処理をはじめとする全体の処理を実行するＣＰＵ２９と、任意のアドレスを指定して読み書きすることが可能な半導体メモリであってＣＰＵ２９の作業領域となって不揮発性メモリ３０に格納されたプログラムを読み出したり、処理中のデータを一時的に格納したりするＲＡＭ２８と、プログラムや、電子番組ガイドデータやユーザデータなどの各種データが格納される書換え可能な不揮発性メモリ３０とを備える。
【００３７】
図２は、図１に示したＴＶ受像機１の要部構成例を機能的に説明するためのブロック図である。ＴＶ受像機１は、文字サイズの異なる複数のＯＳＤ信号を生成するＯＳＤ信号生成部１０１と、ＯＳＤ信号生成部１０１で生成された複数の文字サイズのＯＳＤ信号のいずれかを選択する文字サイズ選択部１０２と、文字サイズ選択部１０２で選択された文字サイズのＯＳＤ信号の表示位置を制御する表示位置制御部１０３と、リモコン４による操作か、本体操作部３３による操作かを判別する本発明の判別手段に相当する制御部１１０と、操作方法（本体操作／リモコン操作）毎に文字サイズ及び表示位置に関する情報を記憶する文字サイズ／表示位置記憶部１１１と、映像信号の表示サイズ及び表示位置を制御する本発明の映像制御手段に相当する映像制御部１１２と、音声信号の音量を制御する本発明の音量制御手段に相当する音量制御部１１３とを備える。
【００３８】
なお、ＴＶ受像機１を遠隔操作するリモコン４が本発明の第１の操作手段に相当し、ＴＶ受像機１の本体に設けられた本体操作部３３が本発明の第２の操作手段に相当する。またＯＳＤ制御部１００は、上述のＯＳＤ信号生成部１０１，文字サイズ選択部１０２，及び表示位置制御部１０３を含んで構成され、本発明のＯＳＤ制御手段に相当する。
【００３９】
ＯＳＤ信号生成部１０１は、第１キャラクタジェネレータ１０１１〜第ｎキャラクタジェネレータ１０１ｎを備え、文字サイズの異なる複数のＯＳＤ信号（キャラクタ情報）を生成する。なお、ＯＳＤ信号生成部１０１は、文字サイズの異なる複数のＯＳＤ信号（キャラクタ情報）を生成するものであればよく、例えば文字データを読み込み、または読み込んだ文字データに基づき新たな文字データを生成するものであってもよく、文字データは本体の外部より読み込むようなものであってもよい。文字サイズ選択部１０２は、制御部１１０からの制御に従って、これら第１キャラクタジェネレータ１０１１〜第ｎキャラクタジェネレータ１０１ｎのいずれかを選択し、選択した文字サイズのＯＳＤ信号を表示位置制御部１０３に出力する。表示位置制御部１０３は、制御部１１０からの制御に従って、文字サイズ選択部１０２で選択された文字サイズのＯＳＤ信号の表示位置を制御し、表示部２５に表示出力する。
【００４０】
制御部１１０は、リモコン４からの操作信号か、本体操作部３３からの操作信号かを判別し、その判別結果に基づいて文字サイズ／表示位置記憶部１１１を参照し、判別した操作方法に合った文字サイズ及び表示位置を取得する。そして制御部１１０は、文字サイズ／表示位置記憶部１１１から取得した文字サイズ及び表示位置によりＯＳＤ制御部１００を制御する。すなわち、文字サイズ／表示位置記憶部１１１から取得した文字サイズ及び表示位置でＯＳＤ表示するように、ＯＳＤ信号生成部１０１，文字サイズ選択部１０２，及び表示位置制御部１００を制御する。
【００４１】
具体的には、例えば、リモコン４からの操作信号であれば、ユーザはリモコン４を操作しているため、通常の文字サイズ及び画面特定位置（例えば、画面略中央あるいは画面左上端など）でオンスクリーン表示を行うように制御する。また、本体操作部３３からの操作信号であれば、ユーザは本体操作部３３を操作しているため、オンスクリーン表示の文字サイズを、リモコン４による操作の場合の文字サイズより小さくし、本体操作部３３の近傍位置にオンスクリーン表示を行うように制御する。
【００４２】
ここで、ＯＳＤの表示サイズは、画面左上隅の所定位置を基点として拡大／縮小されて表示される。１００インチ以上の大画面ＴＶにおいて本体操作部３３が画面右下近傍に設けられている場合、ユーザはその本体操作部３３を操作しながら、上記のＯＳＤを斜めから見ることになるため、非常に視認性が悪いという問題があった。
これに対して、本発明のＴＶ受像機１は、文字サイズを縮小したＯＳＤを、本体操作部３３の近傍位置に表示させるため、本体操作時であっても良好な視認性を確保することができるため、操作性を損なうことがない。
【００４３】
またこの際、ＯＳＤの表示サイズ及び表示位置だけでなく、表示サイズを縮小した映像信号を本体操作部の近傍に表示させるようにして、映像信号そのものの視認性を向上させるようにしてもよい。例えば、ＯＳＤによる輝度や色合いなどの調整状態を、映像信号を見ながら確認する際に、表示サイズの縮小されたＯＳＤと映像が本体操作部近傍に表示させ、本体操作部における操作性の更なる改善を図る。
【００４４】
この場合、文字サイズ／表示位置記憶部１１１に、制御部１１０による判別結果（リモコン４からの操作信号あるいは本体操作部３３からの操作信号）に応じた映像信号の表示サイズ及び表示位置を予め記憶しておく。
制御部１１０は、リモコン４からの操作信号か、本体操作部３３からの操作信号かを判別し、その判別結果に基づいて文字サイズ／表示位置記憶部１１１を参照し、判別した操作方法に合った映像信号の表示サイズ及び表示位置を取得する。そして制御部１１０は、文字サイズ／表示位置記憶部１１１から取得した表示サイズ及び表示位置により映像制御部１１２を制御する。
【００４５】
具体的には、映像制御部１１２は、本体操作部３３による操作の場合、映像信号の表示サイズを、リモコン４による操作の場合の表示サイズよりも小さくし、この映像信号を本体操作部３３の近傍に表示するように制御する。一方、リモコン４による操作の場合、通常の表示サイズ及び表示位置で映像信号を表示するように制御する。
【００４６】
また、音量制御部１１３は、音声信号の音量を制御してスピーカ２６から音声出力させる。なお、音量制御部１１３は、リモコン４からの操作信号か、本体操作部３３からの操作信号かを判別し、この判別結果に応じた音量で音声出力するように制御する。具体的には、音量制御部１１３は、本体操作部３３による操作の場合、音声信号の音量を、リモコン４による操作の場合の音量よりも小さくするか、あるいは、音量をミュートするようにしてもよい。この場合、文字サイズ／表示位置記憶部１１１に、制御部１１０による判別結果（リモコン４からの操作信号あるいは本体操作部３３からの操作信号）に応じた音声信号の音量レベルを予め記憶しておいてもよい。
【００４７】
なお、一旦音量を下げた後、ユーザがＴＶ受像機１から離れた元の視聴位置に戻り、リモコン４を操作すると、下げた音量を元（視聴時の音量）に戻すように制御してもよい。あるいは、ユーザがＴＶ受像機１から離れた元の視聴位置に戻る際に、本体操作部３３の所定のキーを操作すると、下げた音量を元に戻すように制御してもよい。
【００４８】
図３は、本発明のＴＶ受像機１によるＯＳＤ信号の表示制御方法の一例を説明するための図で、図中、２５ａはＯＳＤ画面を示す。図３（Ａ）はリモコン４による操作時のＯＳＤ画面２５ａの例を示し、図３（Ｂ）は本体操作部３３による操作時のＯＳＤ画面２５ａの例を示す。
【００４９】
図３（Ａ）において、ユーザはＴＶ受像機１から離れた位置でリモコン４を操作しているため、ＯＳＤ画面２５ａは通常の文字サイズで、画面略中央部分等にオンスクリーン表示される。
一方、図３（Ｂ）において、ユーザはＴＶ受像機１に近い位置で本体操作部３３を操作しているため、ＯＳＤ画面２５ａは図３（Ａ）の文字サイズよりも小さい文字サイズで、本体操作部３３の近傍位置にオンスクリーン表示される。これにより、本体操作部３３を操作するユーザにとって、ＯＳＤ画面２５ａを読み易い文字サイズで、画面上の読み易い位置に表示されるため、たとえ大画面であっても、本体操作時におけるオンスクリーン表示の視認性が向上する。この際、ＯＳＤのみでなく、映像信号の表示サイズ及び表示位置を調整し、縮小された映像信号を本体操作部３３の近傍位置に表示するようにしてもよい。
【００５０】
このように、大画面テレビを本体操作部により操作する場合とリモコンで操作する場合とで、オンスクリーン表示する際の文字サイズ及び表示位置を切り換えるように制御される。具体的には、本体操作部で操作する場合には比較的小さい文字サイズで、且つ、本体操作部近傍の画面上にオンスクリーン表示する。一方、リモコンで操作する場合には比較的大きめの文字サイズで、且つ、画面略中央位置にオンスクリーン表示する。これにより、ユーザが常に見易い状態でオンスクリーン表示を行うことができる。
【００５１】
さらに、ＯＳＤに加えて、映像信号の表示サイズ及び表示位置を制御してもよい。すなわち、大画面テレビを本体操作部により操作する場合とリモコンで操作する場合とで、映像表示する際の表示サイズ及び表示位置を切り換えるように制御する。具体的には、本体操作部で操作する場合には比較的小さい表示サイズで、且つ、本体操作部近傍の画面上に映像表示する。一方、リモコンで操作する場合には比較的大きめの表示サイズで、且つ、画面略中央位置等に映像表示する。これにより、ユーザが常に見易い状態で映像表示を行うことができる。
【００５２】
図４は、本発明のリモコン４の構成例を示す外観図である。リモコン４は、テンキー４１，カーソルキー４２，決定キー４３，文字サイズ切替キー４４，表示位置切替キー４５を備える。このように、リモコン４あるいは本体操作部３３が、ＯＳＤ信号の文字サイズを変化させるための操作キーである文字サイズ切替キーを備えるようにしてもよい。なお、本体操作部３３側の文字サイズ切替キーの記載は省略する。
【００５３】
ＴＶ受像機１の実際の使用環境を考慮すると、使用する年齢層により、または設置している部屋の状況等によりユーザにとって適当な文字サイズは異なるものと考えられる。このため、リモコン４や本体操作部３３に文字サイズ切替キー４４を設けて、例えばトグル押しすることにより文字サイズを切り替えられるようにする。
【００５４】
具体的には、リモコン４の文字サイズ切替キー４４の操作時には、文字サイズが「大」，「標準」，「小」，「大」の順にトグル動作で切り替わり、本体操作部３３の文字サイズ切替キーの操作時には、「小」，「大」，「標準」，「小」の順に切り替わるようにして、リモコン４と本体操作部３３のどちらの操作キーを操作するかによって文字サイズの切替順序を変更できるようにする。なお、この切替順序はユーザ設定により任意に設定できるようにしてもよい。
【００５５】
また、例えば、表示位置切替キー４５を通常操作時より長押しした後に決定キー４３をトグル押しすることにより文字サイズを切り替えられるようにしても良い。キー操作の組み合わせはこれに限らず、リモコン４にキーコードをプリセットする際に任意に設定することができる。
【００５６】
このような構成により、ＴＶ受像機１の実際の使用環境に応じて、所望の文字サイズに切り替えることができる。例えば、高齢者の場合には複雑な操作を行うことは少ないものの、いざ操作しようとしても文字サイズが小さいと見えにくく誤操作等のおそれがある。そこで、通常よく用いられるメニューと滅多に用いられることのないメニューとを分けておき、通常よく用いられるメニューの文字サイズは大きな文字で表示することを意図しても良い。一方、高齢者でない者にとっては、もう少し文字サイズは小さい方が良いという場合があり、そのような要求に対しても、簡便な方法により応じることが可能となる。
【００５７】
さらに、図４に示すように、リモコン４あるいは本体操作部３３が、ＯＳＤ信号の表示位置を変化させるための操作キーである表示位置切替キー４５を備えるようにしてもよい。
【００５８】
本体操作部３３による操作時、リモコン４による操作時ともに、ＴＶ受像機１の設置状態等に応じて操作性は一様ではないため、表示位置切替キー４５を設けて、簡単にオンスクリーン表示位置を変更できるようにしてもよい。例えば、文字サイズ切替キー４４と同様に、表示位置切替キー４５のトグル操作に応じて表示位置を変更する。具体的には、リモコン４の表示位置切替キー４５の操作時には、「左上」，「右上」，「右下」，「左下」，「左上」の順に、ＯＳＤの表示位置を変更する。また、本体操作部３３の表示位置切替キー４５の操作時には、「右下」，「左下」，「左上」，「右上」，「右下」の順に、ＯＳＤの表示位置を変更できるようにする。
【００５９】
上記において、専用キーを設けた場合を例示したが、例えば、メニューキー（図示しない）を長押しした後にカーソルキー４２の下矢印キーを押した場合は、オンスクリーン表示を画面の下側に移動するようにしても良く、このような操作キーの組み合わせにより、表示位置切替機能を実現することもできる。
【００６０】
なお、文字サイズ切替キー４４及び表示位置切替キー４５による切り替え操作を映像表示にも適用できることは言うまでもない。例えば、文字サイズ切替キー４４が操作されたときに、ＯＳＤの文字サイズの切り替えに連動させて、映像信号の表示サイズを切り替えるようにしてもよく、さらには、表示位置切替キー４５が操作されたときに、ＯＳＤの表示位置の切り替えに連動させて、映像信号の表示位置を切り替えるようにしてもよい。
【００６１】
図５は、ＴＶ受像機１の設置状態に基づいてオンスクリーン表示を最適化する処理の一例を説明するためのフロー図である。本例の場合、制御部１１０がＴＶ受像機１の設置状態を設定する設置状態設定手段に相当する。この設置状態設定手段は、部屋の大きさ，設置箇所，設置高さ，視聴距離などをセットアップ時に設定するための設定画面を表示し、この設定画面からの入力をリモコン４あるは本体操作部３３から受け付けて設定値として文字サイズ／表示位置記憶部１１１に記憶する。
【００６２】
ユーザが使用する部屋の大きさや、ＴＶ受像機１の設置位置は一律でないことが多いことから、部屋の大きさ、設置箇所、設置高さ等をユーザセットアップ時に設定できるようにし、この設定値に応じてオンスクリーン信号の表示位置や文字サイズを設定する。例えば、リビングルームにフロア設置する場合でも、椅子に座って視聴する場合と床に座って視聴する場合とでは視点が異なることから、椅子に座って視聴する場合、ＯＳＤ（ユーザ調整画面）を画面中心近辺に表示する。また、床に座って視聴する場合、同様のＯＳＤを画面下側に表示する。このようにすると、視線の移動による頭の動きが小さくなることからユーザにとって操作がしやすくなる。
【００６３】
また、ＴＶ受像機１を設置する部屋の大きさや設置箇所（長辺側に設置するか、短辺側に設置するか、あるいはコーナーに設置するか）によっても、視聴距離や視点が異なることから、オンスクリーン表示の見易い文字サイズや表示位置も異なるものと考えられる。このため、例えば、ＴＶ受像機１の設置時にこれらの設置状態に係る各項目の設定値について設定しておくようにすると良い。
【００６４】
図５において、まず、ＴＶ受像機１のＯＳＤ制御部１００は、ユーザ操作に従って、設置用メニューを起動し、ＴＶ受像機１の設置状態に係る各項目の設定値を選択するための選択画面を表示させる（ステップＳ１）。この設置状態に係る各項目は、例えば、部屋の大きさ，設置高さ，視聴スタイル（椅子／床に座って視聴など），視聴距離などであって、項目毎に複数の設定値が予め格納されており、項目毎に設定値の一覧が選択画面上に表示される。ユーザは選択画面上から自身の視聴環境に合った設定値を選択指定する。
【００６５】
ユーザは、ＴＶ受像機１に表示された選択画面から、部屋の大きさを選択し（ステップＳ２）、ＴＶ受像機１の設置高さを選択し（ステップＳ３）、椅子に座って視聴するのか／床に座って視聴するのかなどの視聴スタイルを選択し（ステップＳ４）、ユーザとＴＶ受像機１との間の視聴距離を選択する（ステップＳ５）。
【００６６】
そして、制御部１１０は、ステップＳ２〜ステップＳ５の各設定条件に基づいて、操作における最適な文字サイズと表示位置を割り出して（ステップＳ６）、これらの文字サイズと表示位置を文字サイズ／表示位置のデータとして文字サイズ／表示位置記憶部１１１に記憶する（ステップＳ７）。
【００６７】
このように、ＴＶ受像機１のセットアップ時に決定され、文字サイズ／表示位置記憶部１１１に記憶された文字サイズ／表示位置のデータは、ユーザによる操作時に読み出されて使用される。また、上述の各項目の設定値は、表示位置選択や文字サイズ選択などのマニュアル操作により随時更新するようにしてもよい。
【００６８】
図６は、本発明のＴＶ受像機１によるＯＳＤ信号の表示制御方法の一例を説明するためのフロー図である。まず、ＴＶ受像機１は、ユーザ操作されたかどうかを判定し（ステップＳ１１）、ユーザ操作されない場合（ＮＯの場合）、ステップＳ１１でユーザ操作の待機状態に移行する。また、ステップＳ１１において、ユーザ操作された場合（ＹＥＳの場合）、リモコン４あるいは本体操作部３３の表示位置切替キーが操作されたかどうかを判定する（ステップＳ１２）。
【００６９】
次に、ＴＶ受像機１は、ステップＳ１２において、表示位置切替キーが操作されていないと判定した場合（ＮＯの場合）、リモコン４あるいは本体操作部３３の文字サイズ切替キーが操作されたかどうかを判定する（ステップＳ１３）。また、ステップＳ１２において、表示位置切替キーが操作されたと判定した場合（ＹＥＳの場合）、現在ＯＳＤ表示中かどうかを判定する（ステップＳ１４）。このステップＳ１４において、現在ＯＳＤ表示中の場合（ＹＥＳの場合）、ＯＳＤの表示位置を変更して記憶する（ステップＳ１５）。この際、現在表示している表示の種類（本体操作用かリモコン操作用か）に応じてそれぞれ記憶する。また、ステップＳ１４において、現在ＯＳＤ表示中でない場合（ＮＯの場合）、ステップＳ１１に戻り処理を繰り返す。
【００７０】
次に、ＴＶ受像機１は、ステップＳ１３において、文字サイズ切替キーが操作されていない場合（ＮＯの場合）、本体操作またはリモコン操作かを判定する（ステップＳ１６）。また、ステップＳ１３において、文字サイズ切替キーが操作された場合（ＹＥＳの場合）、現在ＯＳＤ表示中かどうかを判定する（ステップＳ１７）。このステップＳ１７において、現在ＯＳＤ表示中の場合（ＹＥＳの場合）、ＯＳＤの文字サイズを変更して記憶する（ステップＳ１８）。この際、現在表示している表示の種類（本体操作用かリモコン操作用か）に応じてそれぞれ記憶する。また、ステップＳ１７において、現在ＯＳＤ表示中でない場合（ＮＯの場合）、ステップＳ１１に戻り処理を繰り返す。
【００７１】
次に、ＴＶ受像機１は、ステップＳ１６において、本体キー操作と判定した場合（本体キー操作の場合）、本体操作用の文字サイズ／表示位置記憶部１１１から文字サイズ／表示位置情報を読み出し(ステップＳ１９)、読み出された文字サイズ／表示位置情報によりオンスクリーン表示を行う（ステップＳ２１）。また、ステップＳ１６において、リモコンキー操作の場合（リモコンキー操作の場合）、リモコン操作用の文字サイズ／表示位置記憶部１１１から文字サイズ／表示位置情報を読み出して（ステップＳ２０）、ステップＳ２１に移行する。そして、ステップＳ２１の処理の後はステップＳ１１に戻り処理を繰り返す。
【００７２】
図７は、本発明のＴＶ受像機１によるＯＳＤ信号の表示制御方法の他の例を説明するための図である。本例の場合、ＴＶ受像機１の本体操作部３３を操作する際に、本体操作部３３の近傍位置など、キー操作し易い位置に映像とＯＳＤ画面を表示させると共に、同時に音量を絞るように構成される。音量データはリモコン操作用と本体操作用のそれぞれについて文字サイズ／表示位置記憶部１１１に予め記憶しておく。音量制御部１１３は、リモコン４による操作か、本体操作部３３による操作かを判定し、判定結果に応じた音量データを文字サイズ／表示位置記憶部１１１から読み出して、読み出した音量データによりスピーカ２６から出力させる音量を調整する。
【００７３】
図８は、本体操作部３３が備える操作キー群の一例を示す図で、図中、３３ａは最適化キーを示す。この最適化キー３３ａは、本体操作部３３から操作を行う際に、映像の表示サイズ及び表示位置と、ＯＳＤの文字サイズ及び表示装置とを制御すると共に、音声信号の音量を絞って、最適化するための操作ボタンである。ユーザがこの最適化キー３３ａを押下すると、制御部１１０はユーザが本体操作部３３を操作していると判断する。そして制御部１１０は、映像制御部１１２を制御して、映像信号の表示サイズを小さくし、その表示位置を本体操作部３３の近傍位置に制御すると共に、ＯＳＤ制御部１１０を制御して、ＯＳＤの文字サイズを小さくし、その表示位置を本体操作部３３の近傍位置に制御する。さらに制御部１１０は、音量制御部１１３を制御して、音声信号の音量を小さく、あるいは、音量をミュートするように制御する。
【００７４】
なお、本例ではトリガとして、最適化キー３３ａを用いたが、本体操作部３３の他の操作キー、例えば、音量キー、入力切替キー、選局キー、メニューキー等が押下されたことをトリガとしてもよく、あるいは、ＴＶ受像機１にセンサを設け、ユーザが本体操作部３３を操作しようと近づいたことを検知し、これをトリガとしてもよい。
【００７５】
図９は、本発明のＴＶ受像機１によるＯＳＤ信号の表示制御方法の他の例を説明するためのフロー図である。まず、ＴＶ受像機１は、本体操作部３３の最適化キー３３ａが押下されたかどうかを判定し（ステップＳ３１）、最適化キー３３ａが押下された場合（ＹＥＳの場合）、映像の表示サイズ，表示位置と、ＯＳＤの文字サイズ，表示位置とを最適化すると共に，音量を最適化する処理を行う（ステップＳ３２）。ここでいう最適化処理とは、ユーザが本体操作部３３から操作を行う際に、映像の表示サイズを小さくし本体操作部３３の近傍位置に表示する処理と、ＯＳＤの文字サイズを小さくし本体操作部３３の近傍位置に表示する処理と、音量を小さく制御する処理のことをいう。また、ステップＳ３１において、最適化キー３３ａが押下されない場合（ＮＯの場合）、ステップＳ３１で最適化キー３３ａの押下待ち状態に移行する。
【００７６】
次に、ユーザが本体操作部３３により操作を行い（ステップＳ３３）、再度最適化キー３３ａが押下されたかどうか判定する（ステップＳ３４）。このステップＳ３４において、最適化キー３３ａが押下された場合（ＹＥＳの場合）、映像の表示サイズ，表示位置と、ＯＳＤの文字サイズ，表示位置とを元に戻すと共に、音量を元に戻す。また、ステップＳ３４において、最適化キー３３ａが押下されない場合（ＮＯの場合）、ステップＳ３３に戻り処理を繰り返す。
【００７７】
以上説明したように、本発明によれば、映像信号を表示する表示装置において、リモコンによる操作か、本体操作部による操作かを判別し、この判別結果に応じて適切な表示サイズ及び表示位置でオンスクリーン表示や映像表示を行うことができるため、本体操作部から操作を行う際にＯＳＤや映像の良好な視認性を確保することができる。
また、リモコンによる操作か、本体操作部による操作かの判別結果に応じて適切な音量で音声出力することができるため、本体操作部から操作を行う際に適度な音量の元で操作を行うことができる。
【図面の簡単な説明】
【００７８】
【図１】本発明の一実施形態に係る表示装置の構成例を示すブロック図である。
【図２】図１に示したＴＶ受像機の要部構成例を機能的に説明するためのブロック図である。
【図３】本発明のＴＶ受像機によるＯＳＤ信号の表示制御方法の一例を説明するための図である。
【図４】本発明のリモコンの構成例を示す外観図である。
【図５】ＴＶ受像機の設置状態に基づいてオンスクリーン表示を最適化する処理の一例を説明するためのフロー図である。
【図６】本発明のＴＶ受像機によるＯＳＤ信号の表示制御方法の一例を説明するためのフロー図である。
【図７】本発明のＴＶ受像機によるＯＳＤ信号の表示制御方法の他の例を説明するための図である。
【図８】本体操作部が備える操作キー群の一例を示す図である。
【図９】本発明のＴＶ受像機によるＯＳＤ信号の表示制御方法の他の例を説明するためのフロー図である。
【図１０】従来の表示装置のハードウェア構成例を示すブロック図である。
【図１１】図１０に示した表示装置によるオンスリーン表示の例を説明するための図である。
【図１２】図１０に示した表示装置による音声出力の例を説明するための図である。
【符号の説明】
【００７９】
１…表示装置（ＴＶ受像機）、４…リモコン、１１，１２…受信アンテナ、１３…アナログチューナ部、１４…デジタルチューナ部、１５…ＡＶスイッチ部、１６…デジタル復調部、１７…分離部、１８…ビデオデコード／キャプチャ部、１９…ビデオセレクタ部、２０…電子番組ガイド／ＯＳＤ／予約処理部、２１…オーディオデコード部、２２…ビデオ出力変換部、２３…オーディオセレクタ部、２４…オーディオ出力変換部、２５…表示部、２６…スピーカ、２７…選局部、２８…ＲＡＭ、２９…ＣＰＵ、３０…不揮発性メモリ、３１…通信制御部、３２…リモコン信号受光部、３３…本体操作部、１００…ＯＳＤ制御部、１０１…ＯＳＤ信号生成部、１０１１〜１０１ｎ…キャラクタジェネレータ、１０２…文字サイズ選択部、１０３…表示位置制御部、１１０…制御部、１１１…文字サイズ／表示位置記憶部、１１２…映像制御部、１１３…音量制御部、２００…表示装置、２０１…本体操作部、２０２…リモコン信号受光部、２０３…制御部、２０４…オンスクリーン制御部、２０５…表示部。
【図１】
2008306509.tif 000003
【図２】
2008306509.tif 000004
【図３】
2008306509.tif 000005
【図４】
2008306509.tif 000006
【図５】
2008306509.tif 000007
【図６】
2008306509.tif 000008
【図７】
2008306509.tif 000009
【図８】
2008306509.tif 000010
【図９】
2008306509.tif 000011
【図１０】
2008306509.tif 000012
【図１１】
2008306509.tif 000013
【図１２】
2008306509.tif 000014